(57)【特許請求の範囲】
【請求項１】
無線基地局であって、
前記無線基地局配下のセルに接続されている移動局に対するスケジューリング処理を行うように構成されているスケジューリング部を具備し、
前記スケジューリング部は、前記移動局の各々が接続中の全て或いは少なくとも１つ以上のセルを選択し、選択した該セルの各々において、該移動局の各々に対して用いる補正係数を算出し、算出した該補正係数を用いて該移動局の各々のスケジューリング係数を算出し、算出した該スケジューリング係数に基づいてリソースを割り当てる移動局を決定するように構成されており、
前記スケジューリング部は、前記移動局がＣＡ（Ｃａｒｒｉｅｒ  Ａｇｇｒｅｇａｔｉｏｎ）を行っているか否かに基づいて、前記選択又は前記補正係数の算出を行うように構成されていることを特徴とする無線基地局。
【請求項２】
前記スケジューリング部は、前記接続中の全てのセルにおいて送信する合計データサイズが前記移動局の各々における所定期間内で受信可能な最大データサイズを超えないように、前記リソース割り当てを行うように構成されていることを特徴とする請求項１に記載の無線基地局。
【請求項３】
前記スケジューリング部は、あるセルにおいて、下りリンク信号に対するＡＣＫ/ＮＡＣＫが同一のリソースによって送信されないように、前記リソース割り当てを行うように構成されていることを特徴とする請求項１又は２に記載の無線基地局。
【請求項４】
前記スケジューリング部は、前記移動局に送信するデータの種別或いは該移動局が保持しているデータの種別に基づいて、前記選択又は前記補正係数の算出を行うように構成されていることを特徴とする請求項１乃至３のいずれか一項に記載の無線基地局。
【請求項５】
前記スケジューリング部は、前記移動局が接続されている全てのセルの負荷状況に基づいて、前記選択又は前記補正係数の算出を行うように構成されていることを特徴とする請求項１乃至３のいずれか一項に記載の無線基地局。
【発明の詳細な説明】
【技術分野】
【０００１】
本発明は、無線基地局に関する。
【背景技術】
【０００２】
３ＧＰＰで仕様化が進められているＬＴＥ（Ｌｏｎｇ  Ｔｅｒｍ  Ｅｖｏｌｕｔｉｏｎ）-Ａｄｖａｎｃｅｄ方式の移動通信システムでは、「ＣＡ（Ｃａｒｒｉｅｒ  Ａｇｇｒｅｇａｔｉｏｎ）」を行うことが検討されている。
【０００３】
ＬＴＥ-Ａｄｖａｎｃｅｄ方式の移動通信システムでは、移動局ＵＥは、１つの無線基地局ｅＮＢとの間で、異なる周波数帯域の複数の「Ｃｏｍｐｏｎｅｎｔ  Ｃａｒｒｉｅｒ（ＣＣ）」を同時に用いて、ＣＡを行うことができるように構成されている。
【０００４】
また、ＣＡが行われる場合、移動局ＵＥは、無線基地局からの指示に応じて、複数のＣＣの中から、１つをＰＣＣ（Ｐｒｉｍａｒｙ  Ｃｏｍｐｏｎｅｎｔ  Ｃａｒｒｅｒ）として設定し、その他をＳＣＣ（Ｓｅｃｏｎｄａｒｙ  Ｃｏｍｐｏｎｅｎｔ  Ｃａｒｒｅｒ）として設定するように構成されている。
【先行技術文献】
【特許文献】
【０００５】
【特許文献１】特開２０１１-１４２５９６号
【非特許文献】
【０００６】
【非特許文献１】３ＧＰＰ  ＴＳ３６.８１４
【非特許文献２】３ＧＰＰ  ＴＳ３６.９１２
【発明の概要】
【発明が解決しようとする課題】
【０００７】
しかしながら、既存のＬＴＥ-Ａｄｖａｎｃｅｄ方式に対応する無線基地局ｅＮＢにおけるＭＡＣ（Ｍｅｄｉａ  Ａｃｃｅｓｓ  Ｃｏｎｔｒｏｌ）スケジューラ、例えば、ＰＦ（Ｐｒｏｐｏｔｉｏｎａｌ  Ｆａｉｒｎｅｓｓ）スケジューラは、ＣＡが行われているか否かについて考慮することなく、セルごとに独立してスケジューリング処理を行うように構成されている。
【０００８】
したがって、既存のＬＴＥ-Ａｄｖａｎｃｅｄ方式に対応する無線基地局ｅＮＢでは、移動局ＵＥが、ＣＡを行っている場合であっても、Ｐｃｅｌｌ（ＰＣＣにおけるサービングセル）及びＳｃｅｌｌ（ＳＣＣにおけるサービングセル）の中で混雑していないセルにおいてデータトラフィックを送受信することによるトラフィック分散（Ｌｏａｄ  Ｂａｌａｎｃｉｎｇ）効果を得ることができないという問題点があった。
【０００９】
また、既存のＬＴＥ-Ａｄｖａｎｃｅｄ方式に対応する無線基地局ｅＮＢでは、移動局ＵＥが、ＣＡを行っている場合であっても、Ｐｃｅｌｌ及びＳｃｅｌｌの中で無線品質が良いセルにおけるリソースの割り当てを優先することによる容量改善効果を得ることができないという問題点があった。
【００１０】
さらに、既存のＬＴＥ-Ａｄｖａｎｃｅｄ方式に対応する無線基地局ｅＮＢでは、移動局ＵＥが、ＣＡを行っている場合であっても、Ｐｃｅｌｌ及びＳｃｅｌｌの中で無線品質（例えば、Ｐａｔｈｌｏｓｓ）が小さいセルにおいて優先して上りリンク信号を送信するリソースを割り当てることによる上り干渉低減効果を得ることができないという問題点があった。
【００１１】
そこで、本発明は、上述の課題に鑑みてなされたものであり、ＣＡが行われている際の適切なスケジューリング処理を実現することができる無線基地局を提供することを目的とする。
【課題を解決するための手段】
【００１２】
本発明の第１の特徴は、無線基地局であって、前記無線基地局配下のセルに接続されている移動局に対するスケジューリング処理を行うように構成されているスケジューリング部を具備し、前記スケジューリング部は、前記移動局の各々が接続中の全て或いは少なくとも１つ以上のセルを選択し、選択したセルの各々において、該移動局の各々に対して用いる補正係数を算出し、算出した該補正係数を用いて該移動局の各々のスケジューリング係数を算出し、算出した該スケジューリング係数に基づいてリソースを割り当てる移動局を決定するように構成されていることを要旨とする。
【発明の効果】
【００１３】
以上説明したように、本発明によれば、ＣＡが行われている際の適切なスケジューリング処理を実現することができる無線基地局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるスケジューリング処理の一例について説明するための図である。
【図４】本発明の第２の実施形態に係る無線基地局によるスケジューリング処理の一例について説明するための図である。
【発明を実施するための形態】
【００１５】
（本発明の第１の実施形態に係る移動通信システム）
図１乃至図３を参照して、本発明の第１の実施形態に係る移動通信システムについて説明する。本実施形態に係る移動通信システムは、ＬＴＥ-Ａｄｖａｎｃｅｄ方式の移動通信システムである。
【００１６】
なお、本実施形態に係る移動通信システムにおいて、移動局ＵＥは、無線基地局ｅＮＢとの間で、周波数帯域Ｆ１のＣＣ及び周波数帯域Ｆ２のＣＣを同時に用いて、信号の送受信を行うことができるように構成されている、すなわち、ＣＡを行うことができるように構成されている。
【００１７】
図１に示すように、本実施形態に係る移動通信システムでは、無線基地局ｅＮＢ配下に、マクロセルとして、セル＃Ａが設けられており、ピコセルとして、セル＃Ｂ/＃Ｃが設けられている。
【００１８】
ここで、セル＃Ａ（マクロセル）では、周波数帯域Ｆ１のＣＣが用いられており、セル＃Ｂ/＃Ｃ（ピコセル）では、周波数帯域Ｆ２のＣＣが用いられている。
【００１９】
図１に示すように、例えば、周波数帯域Ｆ１として、エリアカバレッジ範囲を重視したコア（カバレッジ）バンドが用いられ、周波数帯域Ｆ２として、高速な通信を重視した容量バンドが用いられることが想定されている。
【００２０】
例えば、周波数帯域Ｆ１として、８００ＭＨｚ帯や２ＧＨｚ帯等が用いられ、周波数帯域Ｆ２として、３.５ＧＨｚ帯等が用いられてもよい。
【００２１】
また、例えば、各ＣＣの帯域幅は、１.４ＭＨｚ、３ＭＨｚ、５ＭＨｚ、１０ＭＨｚ又は２０ＭＨｚのいずれかであってもよい。なお、１.４ＭＨｚ、３ＭＨｚ、５ＭＨｚ、１０ＭＨｚ又は２０ＭＨｚは、それぞれ６ＲＢ（Ｒｅｓｏｕｒｃｅ  Ｂｌｏｃｋ）、１５ＲＢ、２５ＲＢ、５０ＲＢ、７５ＲＢ又は１００ＲＢで構成されている。ここで、１ＲＢは、１８０ｋＨｚである。
【００２２】
また、本実施形態に係る移動通信システムでは、セル＃Ａのカバレッジエリアとセル＃Ｂ/＃Ｃのカバレッジエリアとが地理的に重畳するように構成されている。
【００２３】
図２に示すように、無線基地局ｅＮＢは、受信部１１と、送信部１２と、スケジューリング部１３とを具備している。
【００２４】
受信部１１は、移動局ＵＥによって送信された各種信号を受信するように構成されている。例えば、受信部１１は、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介して送信された上りデータ信号や、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して送信された上り制御信号を受信するように構成されている。
【００２５】
送信部１２は、移動局ＵＥに対して各種信号を送信するように構成されている。例えば、送信部１２は、ＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介して下りデータ信号を送信したり、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して上り制御信号を送信したりするように構成されている。
【００２６】
スケジューリング部１３は、ＭＡＣスケジューラ（例えば、ＰＦスケジューラ）によるスケジューリング処理を行うように構成されている。
【００２７】
以下、図３を参照して、かかるスケジューリング処理の動作例について説明する。
【００２８】
図３に示すように、ステップＳ１０１において、スケジューリング部１３は、あるＴＴＩ（Ｔｒａｎｓｍｉｓｓｉｏｎ  Ｔｉｍｅ  Ｉｎｔｅｒｖａｌ）において、各移動局ＵＥについてのスケジューリング処理の対象セル（スケジューリング係数を算出するセル）として、各移動局ＵＥが接続中の全て或いは少なくとも１つ以上のセル（ＣＡを行っている各移動局ＵＥに対して「Ｃｏｎｆｉｇｕｒｅｄ」されているセル）を選択する。
【００２９】
例えば、スケジューリング部１３は、移動局ＵＥ＃０についてのスケジューリング処理の対象セルとして、移動局ＵＥが接続中の全てのセル＃Ａ/＃Ｂを選択する。
【００３０】
また、ステップＳ１０１において、スケジューリング部１３は、各移動局ＵＥに対して用いる補正係数Ｗを算出する。
【００３１】
なお、移動局ＵＥが、複数のセルに接続されている場合、スケジューリング部１３は、選択したセルごとに別々に補正係数Ｗを算出してもよい。
【００３２】
ここで、スケジューリング部１３は、各移動局ＵＥがＣＡを行っているか否かに基づいて、上述の補正係数Ｗを算出するように構成されていてもよい。
【００３３】
また、スケジューリング部１３は、各移動局ＵＥが接続中の各セルにおける無線品質に基づいて、上述の補正係数Ｗを算出するように構成されていてもよい。
【００３４】
かかる構成によれば、無線品質の良いセルにおいて優先的にリソースを割り当てるような制御を実現することができる。
【００３５】
例えば、かかる無線品質としては、下りリンクにおけるＣＱＩ（Ｃｈａｎｎｅｌ  Ｑｕａｌｉｔｙ  Ｉｎｄｉｃａｔｏｒ）や、上りリンクにおける受信ＳＩＲ（Ｓｉｇｎａｌ  ｔｏ  Ｉｎｔｅｒｆｅｒｅｎｃｅ  Ｒａｔｉｏ）やＰａｔｈｌｏｓｓや、瞬時伝送速度や平均伝送速度等が用いられてもよい。
【００３６】
また、スケジューリング部１３は、各移動局ＵＥにおける無線基地局ｅＮＢのバッファに蓄積されているデータ量に基づいて、上述の補正係数Ｗを算出するように構成されていてもよい。
【００３７】
また、スケジューリング部１３は、各移動局ＵＥによって通知される移動局ＵＥのバッファに蓄積されているデータ量に基づいて、上述の選択又は補正係数Ｗの算出を行うように構成されていてもよい。
【００３８】
かかる構成によれば、バッファに蓄積されているデータ量が小さい移動局ＵＥに対しては、かかる移動局ＵＥがＣＡを行っている場合であっても、かかる移動局ＵＥが接続中のいずれかのセルにおいてのみ、かかる移動局ＵＥに対するリソース割り当てを行わず、バッファに蓄積されているデータ量が大きい移動局ＵＥがＣＡを行っている場合には、かかる移動局ＵＥが接続中の全て或いは少なくとも１つ以上のセルにおいて、かかる移動局ＵＥに対するリソース割り当てを行うという制御を行うことができる。
【００３９】
また、スケジューリング部１３は、各移動局ＵＥにおけるバッファに蓄積されているデータが制御データであるかユーザデータであるかに基づいて、上述の補正係数Ｗを算出するように構成されていてもよい。
【００４０】
かかる構成によれば、制御データを送信するリソースについてはマクロセル（Ｐｃｅｌｌ）において割り当てを行い、ユーザデータを送信するリソースについてはピコセル（Ｓｃｅｌｌ）について優先的に割り当てを行うという制御を行うことができる。
【００４１】
また、スケジューリング部１３は、各移動局ＵＥにおけるバッファに蓄積されているユーザデータの種別（Ｎｏｎ-Ｒｅａｌｔｉｍｅ  Ｓｅｒｖｉｃｅのデータ（例えば、データ通信用のデータ）又はＲｅａｌ  ｔｉｍｅ  Ｓｅｒｖｉｃｅのデータ（例えば、音声通信用のデータ））に基づいて、上述の選択又は補正係数Ｗの算出を行うように構成されていてもよい。
【００４２】
かかる構成によれば、Ｎｏｎ-Ｒｅａｌｔｉｍｅ  Ｓｅｒｖｉｃｅのデータを送信するリソースについては、マクロセル（Ｐｃｅｌｌ）において割り当てを行い、Ｒｅａｌ  ｔｉｍｅ  Ｓｅｒｖｉｃｅのデータを送信するリソースについては、ピコセル（Ｓｃｅｌｌ）において優先的に割り当てを行うという制御を行うことができる。
【００４３】
また、スケジューリング部１３は、各セルで用いられている周波数帯域（例えば、２ＧＨｚや１.５ＧＨｚや８００ＭＨｚ等）に基づいて、上述の補正係数Ｗを算出するように構成されていてもよい。
【００４４】
かかる構成によれば、特定の周波数帯域におけるリソースの割り当てを優先するような制御を行うことができる。
【００４５】
また、スケジューリング部１３は、各セルの種別（例えば、マクロセルやピコセル等）に基づいて、上述の選択又は補正係数Ｗの算出を行うように構成されていてもよい。
【００４６】
かかる構成によれば、マクロセルよりもピコセルにおけるリソースの割り当てを優先するような制御を行うことができる。
【００４７】
さらに、スケジューリング部１３は、各セルの混雑度（例えば、各セルに接続中の移動局ＵＥの数や、各セルにおけるＣＰＵ使用率や、各セルにおける無線リソースの使用率等）に基づいて、上述の選択又は補正係数Ｗの算出を行うように構成されていてもよい。
【００４８】
ここで、各セルに接続中の移動局ＵＥの数は、「ＲＲＣ  Ｃｏｎｎｅｃｔｅｄ」状態の移動局ＵＥの数であってもよいし、「Ｎｏｎ-ＤＲＸ」状態の移動局ＵＥの数であってもよいし、送信バッファにデータが蓄積されている移動局ＵＥの数であってもよい。
【００４９】
かかる構成によれば、優先的にリソースの割り当てを行いたいセルであっても、かかるセルが混雑している場合には、かかるセルにおけるリソースの割り当てを行わないという制御を行うことができる。
【００５０】
ステップＳ１０２において、スケジューリング部１３は、各セルにおいて、スケジューリング係数を算出すると決定した各移動局ＵＥ＃ｎ（すなわち、かかるセルをスケジューリング対象のセルとして選択した移動局ＵＥ＃ｎ）のスケジューリング係数Ｃｎを算出する。
【００５１】
具体的には、スケジューリング部１３は、
【数１】
0005347039.tif 000002
【００５２】
に基づいて、各移動局ＵＥのスケジューリング係数Ｃｎを算出する。
【００５３】
ここで、Ｒｎは、無線品質に基づいて決定される移動局ＵＥ＃ｎにおける瞬時伝送速度であり、
【数２】
0005347039.tif 000003
【００５４】
は、実際に割り当てられた移動局ＵＥ＃ｎの平均伝送速度であり、Ａは、優先制御のために用いられる係数である。
【００５５】
図３の例では、スケジューリング部１３は、セル＃Ａ（Ｐｃｅｌｌ）及びセル＃Ｂ（Ｓｃｅｌｌ）に接続中の移動局ＵＥ＃０のスケジューリング係数として、セル＃Ａ及びセル＃Ｂの両方において「１００」を算出している。
【００５６】
ステップＳ１０３において、スケジューリング部１３は、各セルにおいて、スケジューリング係数に基づくランキング処理を行う、すなわち、スケジューリング係数が大きい順（或いは、小さい順）に、移動局ＵＥを並び替える。
【００５７】
ステップＳ１０４において、スケジューリング部１３は、各セルにおいて、ランキングが上位の移動局ＵＥから順に、リソースを割り当てる移動局ＵＥを選択する。
【００５８】
図３の例では、スケジューリング部１３は、セル＃Ａにおいて、リソースを割り当てる移動局ＵＥとして、移動局ＵＥ＃１/＃６/＃３を選択し、セル＃Ｂにおいて、リソースを割り当てる移動局ＵＥとして、移動局ＵＥ＃６/＃３/＃５を選択し、セル＃Ｃにおいて、リソースを割り当てる移動局ＵＥとして、移動局ＵＥ＃２/＃８/＃９を選択している。
【００５９】
ステップＳ１０５において、スケジューリング部１３は、「ＴＦＲ（Ｔｒａｎｓｐｏｒｔ  Ｆｏｅｍａｔ  ａｎｄ  Ｒｅｓｏｕｒｃｅ）  ｓｅｌｅｃｔｉｏｎ」を行う、すなわち、選択した移動局ＵＥに対して割り当てるリソース及びフォーマットを決定する。
【００６０】
ここで、スケジューリング部１３は、複数のセルにおいて同一の移動局ＵＥに対してリソースを割り当てると決定された場合、かかるセル間で連携して、かかる移動局ＵＥに対して割り当てるリソース及びフォーマットを決定してもよい。
【００６１】
例えば、スケジューリング部１３は、かかる移動局ＵＥ（例えば、図３における移動局ＵＥ＃６）が接続中の全てのセル（例えば、セル＃Ａ/＃Ｂ）において送信する合計データサイズが移動局ＵＥ（例えば、図３における移動局ＵＥ＃６）の各々における１ＴＴＩ内で受信可能な最大データサイズを超えないように、上述のリソース割り当てを行うように構成されていてもよい。
【００６２】
例えば、スケジューリング部１３は、かかる移動局ＵＥ（例えば、図３における移動局ＵＥ＃６）が接続中の全てのセル（例えば、セル＃Ａ/＃Ｂ）において送信する合計データサイズが移動局ＵＥ（例えば、図３における移動局ＵＥ＃６）の各々における１ＴＴＩ内で受信可能な最大ＲＢ数を超えないように、上述のリソース割り当てを行うように構成されていてもよい。
【００６３】
かかる場合、スケジューリング部１３は、かかる移動局ＵＥ（例えば、図３における移動局ＵＥ＃６）が接続中の全てのセル（例えば、セル＃Ａ/＃Ｂ）のいずれかにおいて、割り当てるリソースを削減したり、リソースの割り当て自体をキャンセルしたりしてもよい。
【００６４】
なお、上述の移動局ＵＥの各々における１ＴＴＩ内で受信可能な最大データサイズは、各移動局ＵＥの「ＵＥ  Ｃａｔｅｇｏｒｙ」によって決定される。
【００６５】
なお、上述の移動局ＵＥの各々における１ＴＴＩ内で受信可能な最大ＲＢ数は、各移動局ＵＥから報告されるＣａｐａｂｉｌｉｔｙ情報によって決定される。
【００６６】
また、下りリンク信号に対するＡＣＫ/ＮＡＣＫをＰＵＣＣＨで送信する場合は、必ずＰｃｅｌｌで送信されるため、Ｐｃｅｌｌにおける下りリンク信号に対するＡＣＫ/ＮＡＣＫ及び複数のＳｃｅｌｌにおける下りリンク信号に対するＡＣＫ/ＮＡＣＫが同一のＰＵＣＣＨリソースにおいて送信され衝突する可能性がある。
【００６７】
したがって、スケジューリング部１３は、あるセル（例えば、図３におけるセル＃Ａ）をＰｃｅｌｌとし、いずれかのセルで下りリンク信号を送信する移動局ＵＥ（例えば、図３における移動局ＵＥ＃１、２、３）において、下りリンク信号に対するＡＣＫ/ＮＡＣＫが同一のＰＵＣＣＨリソースによって送信されないように、上述のリソース割り当てを行うように構成されていてもよい。
【００６８】
すなわち、あるセル（例えば、図３におけるセル＃Ａ）をＰｃｅｌｌとし、いずれかのセルで下りリンク信号を送信する移動局ＵＥ（例えば、図３における移動局ＵＥ＃１、２、３）において、下りリンク信号に対するＡＣＫ/ＮＡＣＫが同一のＰＵＣＣＨリソースによって送信されてしまう場合には、スケジューリング部１３は、上述の移動局（例えば、図３における移動局ＵＥ＃１、２、３）のいずれかにおいて、下りリンク信号を送信するリソースの割り当てをキャンセルしたり、下りリンク信号に対するＡＣＫ/ＮＡＣＫを送信するリソースが異なるリソースとなるように調整したりしてもよい。
【００６９】
ステップＳ１０６において、スケジューリング部１３は、移動局ＵＥごとに、割り当てられたリソースに基づいて、平均伝送速度を更新する。
【００７０】
ここで、スケジューリング部１３は、複数のセルにおいて同時にリソースが割り当てられた移動局ＵＥに対しても、平均伝送速度の更新を１回だけ行うように構成されていてもよい。
【００７１】
ステップＳ１０７において、スケジューリング部１３は、次のＴＴＩにおいて、ステップＳ１０１の動作を行う。
【００７２】
本発明の第１の実施形態に係る移動通信システムによれば、リソースが空いている場合には、ＣＡを行っている移動局ＵＥに対して、優先的に、複数のセルにおいて同時にリソースを割り当てることができる。
【００７３】
また、本発明の第１の実施形態に係る移動通信システムによれば、スケジューリング係数の算出及び移動局ＵＥの選択について、各セルにおいて独立して処理することができるため、既存のスケジューラの構成を最大限流用してパラレルな処理を行うことができる。
【００７４】
また、本発明の第１の実施形態に係る移動通信システムによれば、スケジューリング対象のセルの選択方法や補正係数Ｗの算出方法を調整することによって、特定のセルにおいて優先的にリソースの割り当てを行うことができる。
【００７５】
さらに、本発明の第１の実施形態に係る移動通信システムによれば、移動局ＵＥごとに平均伝送速度を算出することで、瞬時伝送速度が高くなるセルにおけるスケジューリング係数が大きくなり、無線品質の良いセルにおけるリソースの割り当てが優先される結果、容量改善効果を得ることができる。
【００７６】
また、本発明の第１の実施形態に係る移動通信システムによれば、移動局ＵＥが、ＣＡを行っている場合であっても、Ｐｃｅｌｌ及びＳｃｅｌｌの中で混雑していないセルにおいてデータトラフィックを送受信することができるため、トラフィック分散効果を得ることができる。
【００７７】
また、本発明の第１の実施形態に係る移動通信システムによれば、移動局ＵＥが、ＣＡを行っている場合であっても、Ｐｃｅｌｌ及びＳｃｅｌｌの中で無線品質が良いセルにおけるリソースの割り当てを優先することができるため、容量改善効果を得ることができる。
【００７８】
さらに、本発明の第１の実施形態に係る移動通信システムによれば、移動局ＵＥが、ＣＡを行っている場合であっても、Ｐｃｅｌｌ及びＳｃｅｌｌの中でＰａｔｈｌｏｓｓが小さいセルにおいて優先して上りリンク信号を送信するリソースを割り当てることができるため、上り干渉低減効果を得ることができる。
【００７９】
（本発明の第２の実施形態に係る移動通信システム）
図４を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００８０】
図４を参照して、本実施形態に係る無線基地局ｅＮＢのスケジューリング部１３によるスケジューリング処理の動作例について説明する。
【００８１】
図４に示すように、ステップＳ２０１において、スケジューリング部１３は、あるＴＴＩにおいて、各移動局ＵＥについてのスケジューリング処理の対象セル（スケジューリング係数を算出するセル）として、各移動局ＵＥが接続中のセルを選択する。
【００８２】
ここで、スケジューリング部１３は、複数のセルに接続されている移動局ＵＥに対しても、１つのセル（例えば、Ｐｃｅｌｌ）のみを選択する。
【００８３】
図４の例では、スケジューリング部１３は、移動局ＵＥ＃０についてのスケジューリング処理の対象セルとして、移動局ＵＥが接続中の全てのセル＃Ａ/＃Ｂの中からセル＃Ａを選択する。
【００８４】
また、ステップＳ２０１において、スケジューリング部１３は、各移動局ＵＥに対して用いる補正係数Ｗを算出する。
【００８５】
ここで、スケジューリング部１３は、図３のステップＳ１０１と同様に、補正係数Ｗの算出に瞬時伝送速度を用いる場合、かかる瞬時伝送速度は、選択されたセルにおける瞬時伝送速度であってもよいし、移動局ＵＥが接続中の全てのセルにおける瞬時伝送速度の平均値であってもよい。
【００８６】
ステップＳ２０２において、スケジューリング部１３は、ステップＳ１０２と同様に、各セルにおいて、スケジューリング係数を算出すると決定した各移動局ＵＥ＃ｎ（すなわち、かかるセルをスケジューリング対象のセルとして選択した移動局ＵＥ）のスケジューリング係数Ｃｎを算出する。
【００８７】
ここで、Ｒｎは、スケジューリング係数を算出するセルにおける瞬時伝送速度であってもよいし、移動局ＵＥが接続中の全てのセルにおける瞬時伝送速度の平均値でもよい。
【００８８】
ステップＳ２０３において、スケジューリング部１３は、全てのセルにおいて、まとめて、スケジューリング係数に基づくランキング処理を行う、すなわち、スケジューリング係数が大きい順（或いは、小さい順）に、移動局ＵＥを並び替える。
【００８９】
ステップＳ２０４において、スケジューリング部１３は、各セルにおいて、接続中の移動局ＵＥのうちランキングが上位の移動局ＵＥから順に、リソースを割り当てる移動局ＵＥを選択する。
【００９０】
ここで、スケジューリング部１３は、セルごとに、ランキングが上位の移動局ＵＥを選択してもよいし、ランキングが上位の移動局ＵＥごとに、セルを選択してもよい。
【００９１】
図４の例では、スケジューリング部１３は、セル＃Ａにおいて、リソースを割り当てる移動局ＵＥとして、移動局ＵＥ＃１/＃６/＃２を選択し、セル＃Ｂにおいて、リソースを割り当てる移動局ＵＥとして、移動局ＵＥ＃５/＃０/＃７を選択し、セル＃Ｃにおいて、リソースを割り当てる移動局ＵＥとして、移動局ＵＥ＃８/＃９/＃２を選択している。
【００９２】
図４に示すように、スケジューリング部１３は、リソースを割り当てる移動局ＵＥとして、ランキングの末尾の移動局ＵＥまで選択した時点でさらにリソースを割当てる移動局を選択できる場合には、再度、ランキングの上位の移動局ＵＥから選択してもよい。
【００９３】
ステップＳ２０５〜Ｓ２０７の動作は、図３に示すステップＳ１０５〜Ｓ１０７の動作と同一である。
【００９４】
本発明の第２の実施形態に係る移動通信システムによれば、リソースが輻輳している場合には、ＣＡを行っている移動局ＵＥに対して、複数のセルにおいて同時にリソースを割り当てる確率が小さくなるため、リソースの同時割り当てによる処理負荷の増大を抑制することができる。
【００９５】
また、本発明の第２の実施形態に係る移動通信システムによれば、スケジューリング係数の算出を行うのは、１つの移動局ＵＥに対して１回だけであるため、ＣＡ用スケジューラにおける処理負荷を軽減することができる。
【００９６】
以上に述べた本実施形態の特徴は、以下のように表現されていてもよい。
【００９７】
本実施形態の第１の特徴は、無線基地局ｅＮＢであって、無線基地局ｅＮＢ配下のセル（例えば、セル＃Ａ/＃Ｂ）に接続されている移動局ＵＥ（例えば、移動局ＵＥ＃０）に対するスケジューリング処理を行うように構成されているスケジューリング部１３を具備し、スケジューリング部１３は、移動局ＵＥの各々が接続中の全て或いは少なくとも１つ以上のセル（例えば、セル＃Ａ/＃Ｂ）を選択し、選択したセル（例えば、セル＃Ａ/＃Ｂ）の各々において、移動局ＵＥ（例えば、移動局ＵＥ＃０）の各々に対して用いる補正係数Ｗを算出し、算出した補正係数Ｗを用いて移動局ＵＥ＃ｎ（例えば、移動局ＵＥ＃０）の各々のスケジューリング係数Ｃｎを算出し、算出したスケジューリング係数Ｃｎに基づいてリソースを割り当てる移動局ＵＥを決定するように構成されていることを要旨とする。
【００９８】
本実施形態の第１の特徴において、スケジューリング部１３は、移動局ＵＥ（例えば、移動局ＵＥ＃６）が接続中の全てのセル（例えば、セル＃Ａ/＃Ｂ）において送信する合計データサイズが移動局ＵＥ（例えば、移動局ＵＥ＃６）の各々における１ＴＴＩ（所定期間）内で受信可能な最大データサイズを超えないように、上述のリソース割り当てを行うように構成されていてもよい。
【００９９】
本実施形態の第１の特徴において、スケジューリング部１３は、あるセル（例えば、セル＃Ａ）において、下りリンク信号に対するＡＣＫ/ＮＡＣＫが同一のリソースによって送信されないように、上述のリソース割り当てを行うように構成されていてもよい。
【０１００】
本実施形態の第１の特徴において、スケジューリング部１３は、移動局ＵＥがＣＡを行っているか否かに基づいて、上述の選択又は補正係数Ｗの算出を行うように構成されていてもよい。
【０１０１】
本実施形態の第１の特徴において、スケジューリング部１３は、移動局ＵＥに送信するデータの種別或いは移動局ＵＥが保持しているデータの種別に基づいて、上述の選択又は補正係数Ｗの算出を行うように構成されていてもよい。
【０１０２】
本実施形態の第１の特徴において、スケジューリング部１３は、移動局ＵＥが接続されている全てのセルの負荷状況に基づいて、上述の選択又は補正係数Ｗの算出を行うように構成されていてもよい。
【０１０３】
なお、上述の無線基地局ｅＮＢの動作は、ハードウェアによって実施されてもよいし、プロセッサによって実行されるソフトウェアモジュールによって実施されてもよいし、両者の組み合わせによって実施されてもよい。
【０１０４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ内に設けられていてもよい。また、かかる記憶媒体及びプロセッサは、ディスクリートコンポーネントとして無線基地局ｅＮＢ内に設けられていてもよい。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０７】
ｅＮＢ…無線基地局
１１…受信部
１２…送信部
１３…スケジューリング部
【図１】
0005347039.tif 000004
【図２】
0005347039.tif 000005
【図３】
0005347039.tif 000006
【図４】
0005347039.tif 000007